【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
回路基板を装着するための第１の平坦な外側表面及び前記第１の平坦な外側表面に隣接するとともに前記第１の平坦な外側表面に対して窪んでいる第２の平坦な外側表面を有する外壁を規定し、前記第２の平坦な外側表面に貫通孔を設けた磁気コアと、
第１の端部及び第２の端部を有する導電コイルと、
を有し、前記第１の端部と前記第２の端部の少なくとも一方が、前記第１の平坦な外側表面に垂直な方向に前記貫通孔を通過して延在する表面実装用磁性組立部品。
【請求項２】
前記第２の平坦な外側表面は、前記第１の平坦な外側表面に平行に延在する請求項１に記載の表面実装用磁性組立部品。
【請求項３】
前記外壁は、第１の端部と、前記第１の端部に対向する第２の端部と、を有し、前記第２の平坦な外側表面は、前記第１の端部から前記第２の端部に延在する請求項２に記載の表面実装用磁性組立部品。
【請求項４】
前記外壁は、前記第２の平坦な外側表面に向かい合って延在する第３の平坦な外側表面を更に備え、前記第１の平坦な外側表面は、前記第２の平坦な外側表面及び前記第３の平坦な外側表面を分離する請求項２に記載の表面実装用磁性組立部品。
【請求項５】
前記第２の平坦な外側表面及び前記第３の平坦な外側表面は、同一の表面の上にある請求項４に記載の表面実装用磁性組立部品。
【請求項６】
前記外壁は、コーナーと、前記コーナーに近接して延在する前記貫通孔と、を有する請求項１に記載の表面実装用磁性組立部品。
【請求項７】
階段状表面を有する少なくとも一つの外側を規定する磁気コアと、
前記磁気コアの内側にあり、第１の端部及び第２の端部を有する導電コイルと、
を有し、
前記第１の端部と前記第２の端部の少なくとも一方が前記少なくとも一つの外側まで延在し、
前記階段状表面は、第１の表面、第２の表面及び第３の表面を備え、前記第２の表面は、前記第１の表面に対して窪んでおり、前記第３の表面は、前記第２の表面に対して窪んでいる表面実装用磁性組立部品。
【請求項８】
前記少なくとも一つの外側は、第１のコーナー及び第２のコーナーを有し、前記第３の表面は、前記第１のコーナーに近接して配置され、前記第２の表面は、前記第３の表面から前記第２のコーナーまで延在する請求項７に記載の表面実装用磁性組立部品。
【請求項９】
前記少なくとも一つの外側は、前記第１のコーナーに対角線上で対向する第３のコーナーを有し、前記少なくとも一つの外側は、第３の表面と同一の平面上に延在する第４の表面を有し、前記第４の表面は、前記第３のコーナーに近接して配置される請求項８に記載の表面実装用磁性組立部品。
【請求項１０】
前記階段状表面は、前記第３の表面と同一の平面上に延在する第４の表面を有し、前記第３の表面及び前記第４の表面は、前記第１の表面によって分離される請求項７に記載の表面実装用磁性組立部品。
【請求項１１】
前記磁気コアは、第１のコアピース及び第２のコアピースを備え、前記第１のコアピースと前記第２のコアピースのうちの一方が前記外壁を規定する請求項１に記載の表面実装用磁性組立部品。
【請求項１２】
前記外壁は、前記第１のコアピースによって規定され、前記外壁は、土台壁と、前記土台壁から延在する直立側壁と、を備える請求項１１に記載の表面実装用磁性組立部品。
【請求項１３】
前記第２のコアピースは平坦である請求項１２に記載の表面実装用磁性組立部品。
【請求項１４】
前記外壁は、土台壁を備え、前記磁気コアは、前記土台壁から延在する第１の側壁と、前記土台壁から延在する第２の側壁と、を備え、
前記第１の側壁及び前記第２の側壁は、前記磁気コアに窓を設けるためにギャップを形成する請求項１に記載の表面実装用磁性組立部品。
【請求項１５】
前記窓が前記土台壁のコーナーに近接して配置される請求項１４に記載の表面実装用磁性組立部品。
【請求項１６】
前記磁気コアの前記第２の平坦な外側表面に取り付けるよう形成された少なくとも一つのターミナルクリップを更に備える請求項１に記載の表面実装用磁性組立部品。
【請求項１７】
階段状表面を有する少なくとも一つの外側を規定する磁気コアと、
前記磁気コアの内側にあり、第１の端部及び第２の端部を有する導電コイルと、
を有し、
前記第１の端部と前記第２の端部の少なくとも一方が前記少なくとも一つの外側まで延在し、
前記磁気コアの前記階段状表面に取り付けるよう形成された少なくとも一つのターミナルクリップを更に備え、
前記少なくとも一つのターミナルクリップは、第１の面に延在する底部と、第２の面に延在するコイル部と、を有し、前記第１の面及び前記第２の面は、平行であるが互いに離間している表面実装用磁性組立部品。
【請求項１８】
前記コイル部が前記磁気コアの内側に延在する請求項１７に記載の表面実装用磁性組立部品。
【請求項１９】
前記少なくとも一つのターミナルクリップはスロットを規定し、前記磁気コアの一部は、前記底部と前記コイル部との間で前記スロットに受け入れられる請求項１８に記載の表面実装用磁性組立部品。
【請求項２０】
前記少なくとも一つのターミナルクリップは、第１のターミナルクリップ及び第２のターミナルクリップを備え、前記第１のターミナルクリップ及び前記第２のターミナルクリップは、前記磁気コア及びコイルに取り付けるときに互いに１８０°反転される請求項１７に記載の表面実装用磁性組立部品。
【請求項２１】
前記少なくとも一つのターミナルクリップは、前記コイル部と同一の平面にあるが前記底部によってターミナル部から分離した第３の部分を備える請求項１７に記載の表面実装用磁性組立部品。
【請求項２２】
前記ターミナルクリップは貫通孔を規定し、前記コイルの前記第１の端部と前記第２の端部の一方が前記ターミナルクリップの前記貫通孔に受け入れられる請求項１６に記載の表面実装用磁性組立部品。
【請求項２３】
前記磁気コアは、前記第２の平坦な外側表面に隣接する第２の側壁を有し、前記第２の壁側は、前記第２の平坦な外側表面に隣接する凹部を有し、前記少なくとも一つのターミナルクリップは、前記凹部に係合する位置決めタブを有する請求項１６に記載の表面実装用磁性組立部品。
【請求項２４】
前記少なくとも一つのターミナルクリップは、第１のターミナルクリップ及び第２のターミナルクリップを備え、前記コイルの前記第１の端部及び前記第２の端部は、前記ターミナルクリップに前記コイルの前記第１の端部及び前記第２の端部を巻き付けることなく前記第１のターミナルクリップ及び前記第２のターミナルクリップにそれぞれ結合する請求項１６に記載の表面実装用磁性組立部品。
【請求項２５】
前記コイルは、前記第１の端部と前記第２の端部との間に巻回部を有し、前記巻回部は、巻線軸線の回りで複数の巻数を有し、前記第１の端部及び前記第２の端部は、前記巻線軸線に平行に延在する請求項１に記載の表面実装用磁性組立部品。
【請求項２６】
前記コイルは、複数の巻数となるよう巻回される平坦ワイヤと円形ワイヤの一方を備える請求項２５に記載の表面実装用磁性組立部品。
【請求項２７】
前記巻回部は、前記コイル軸線の回りで螺旋状に延在する請求項２５に記載の表面実装用磁性組立部品。
【請求項２８】
回路基板を更に備え、前記第１の平坦な外側表面が前記回路基板上に存在する請求項１に記載の表面実装用磁性組立部品。
【請求項２９】
第１のターミナルクリップ及び第２のターミナルクリップを更に備え、前記第１のターミナルクリップ及び前記第２のターミナルクリップは、前記回路基板の表面上の回路経路並びに前記コイルの前記第１の端部及び前記第２の端部に接続される請求項２８に記載の表面実装用磁性組立部品。
【請求項３０】
前記第１のターミナルクリップ及び前記第２のターミナルクリップはそれぞれ、前記回路経路に接続する平坦な底部と、前記平坦な底部に平行な平面に延在するが前記平坦な底部から離間したコイル部と、を有する請求項２９に記載の表面実装用磁性組立部品。
【請求項３１】
前記表面実装用磁性組立部品が誘導子である請求項１に記載の表面実装用磁性組立部品。
【請求項３２】
第１のコーナー、第２のコーナー、第３のコーナー及び第４のコーナーによって規定された底面並びに前記第１のコーナー、前記第２のコーナー、前記第３のコーナー及び前記第４のコーナーの間に延在する階段状表面を有する磁気コアと、
前記磁気コアの内側にあり、第１の端部及び第２の端部を有し、前記第１の端部と前記第２の端部の少なくとも一方が前記底面及び前記階段状表面の一部まで延在する導電コイルと、
前記階段状表面に結合され、前記導電性コイルの前記第１の端部及び前記第２の端部にそれぞれ接続する第１及び第２のターミナルクリップと、
を有する表面実装用磁性組立部品。
【請求項３３】
前記磁気コアは、前記磁気コアの内側で前記第１のコイルのリード線及び前記第２のコイルのリード線の一方を前記第１のターミナルクリップと前記第２のターミナルクリップの一方に接続するために前記第１のコーナー、前記第２のコーナー、前記第３のコーナー及び前記第４のコーナーの一つに近接する少なくとも一つの窓を規定する請求項３２に記載の表面実装用磁性組立部品。
【請求項３４】
第１のコーナー、第２のコーナー、第３のコーナー及び第４のコーナーを有する少なくとも一つの外側を規定するとともに階段状表面を有する磁気コアと、
前記磁気コアの内側にあり、第１の端部及び第２の端部を有し、前記第１の端部と前記第２の端部の少なくとも一方が前記少なくとも一つの外側まで延在する導電コイルと、
前記階段状表面に結合され、前記導電性コイルの前記第１の端部及び前記第２の端部にそれぞれ接続する第１及び第２のターミナルクリップと、
を有し、
前記第１のターミナルクリップ及び前記第２のターミナルクリップの各々は、第１の平面に延在する底部と、第２の平面に延在するコイル部と、を有し、前記第２の平面は、前記第１の平面に平行であるが前記第１の平面から離間している表面実装用磁性組立部品。
【請求項３５】
前記第１のコーナー及び前記第３のコーナーは、対角線上で互いに対向し、前記第１のターミナルクリップと前記第２のターミナルクリップの各々の前記コイル部は、前記第１のコーナー及び前記第３のコーナーに近接する請求項３２に記載の表面実装用磁性組立部品。
【請求項３６】
前記導電コイルは、複数の巻数となるよう軸線の回りで巻かれた平坦ワイヤと円形ワイヤの一方を備える請求項３２に記載の表面実装用磁性組立部品。
【請求項３７】
回路基板を更に備え、前記外側を前記回路基板に表面実装する請求項３２に記載の表面実装用磁性組立部品。
【請求項３８】
前記第１のターミナルクリップと前記第２のターミナルクリップの少なくとも一方は相互に非対称である請求項３２に記載の表面実装用磁性組立部品。
【請求項３９】
前記表面実装用磁性組立部品が誘導子である請求項３２に記載の表面実装用磁性組立部品。